(57)【要約】      （修正有）【課題】小規模共同住宅用エレベータ等において、予測走行回数値が基準値を越えたら、携帯端末に発報して、運行管理者が走行回数を適切に管理する。【解決手段】エレベータの走行回数を管理する走行回数管理装置２１０からの情報を携帯端末に送信すると共に、携帯端末からの情報を受信するエレベータシステムであって、走行回数管理装置２１０は、一周期の走行回数の予測値が基準値を越えると判断すると超過信号を発生し、上記超過信号の発生に基づいて、携帯端末に無線通信により発報する。【選択図】図４
2020059600.tif 000002
【特許請求の範囲】
【請求項１】
エレベータの走行回数を管理する走行回数管理装置と、該走行回数管理装置からの情報を送信手段により無線で、携帯端末に送信すると共に、前記情報を無線で前記携帯端末の受信手段により受信するエレベータシステムであって、
前記走行回数管理装置は、エレベータの走行回数をカウントして走行回数値を発生するカウント手段と、
前記走行回数値を記憶する走行回数記憶手段と、
予め定めた時間間隔により予測開始信号が発生すると、前記走行回数記憶手段に記憶された走行回数値に基づいて、一周期の予測走行回数値を予測する走行回数予測手段と、
前記一周期の予測走行回数値が基準走行回数値を越えるか否かを判断して、越えると判断すると超過信号を発生する判断手段と、
前記携帯端末の認証コードを記憶する認証記憶手段と、
前記超過信号の発生に基づいて、前記認証記憶手段に記憶された前記認証コードを有する前記携帯端末に前記送信手段を介して発報する送信制御手段と、
を備えたことを特徴とするエレベータシステム。
【請求項２】
前記走行回数管理装置は、前記走行回数値に基づく表示を生成する表示生成手段を備え、
前記送信制御手段は、さらに、所定のタイミングにより前記送信手段を介して前記表示を無線通信により前記携帯端末に送信する、
ことを特徴とする請求項１に記載のエレベータシステム。
【請求項３】
前記走行回数管理装置は、前記走行回数値に基づく表示を生成する表示生成手段と、
前記携帯端末からの認証コードと前記表示の要求とが無線により前記受信手段により受信されると、予め記憶された前記認証コードと一致することを確認する認証コード確認手段とを備え、
前記送信制御手段は、さらに、前記一致により、前記送信手段を介して前記表示の情報を無線通信により前記携帯端末に送信する、
ことを特徴とする請求項１に記載のエレベータシステム。
【請求項４】
前記走行回数管理装置は、前記超過信号が発生している状態で、前記携帯端末からの走行回数制限指令信号に基づいて前記エレベータの走行回数を制限する走行回数制限手段を、
備えたことを特徴とする請求項１から３の何れか一つに記載のエレベータシステム。
【請求項５】
前記エレベータには、キーにより開放可能な蓋を備えた箱体の内部に設けられると共に、操作することにより走行回数制限信号を発生するスイッチ手段と、
前記超過信号が発生している状態で、前記走行回数制限信号の発生に基づいて前記エレベータの走行回数を制限する走行回数制限手段と、
を備えたことを特徴とする請求項１から３の何れか一つに記載のエレベータシステム。
【請求項６】
前記カウント手段は、一時間当たり積算した第１の走行回数値と、一日毎に積算した第２の走行回数値を発生し、
前記走行回数記憶手段は第１及び第２の走行回数値を記憶し、
前記走行回数記憶手段に記憶された前記第１及び第２の走行回数値に基づいて、前記一周期における前記予測開始信号が発生した時までの実績走行回数値と、前記一周期における前記予測開始信号が発生した後の残りの時間に基づく予測した第１の予測走行回数値とを求めて、前記実績走行回数値及び前記第１の予測走行回数値に基づいて前記一周期の走行回数値を予測した第２の予測走行回数値を求める走行回数予測手段とを備え、
前記判断手段は、さらに、前記第２の予測走行回数値が基準走行回数値を越えるか否かを判断して、越えると判断すると超過信号を発生し、
前記送信制御手段は、さらに、前記超過信号に基づいて、前記第２の予測走行回数値が前記基準走行回数値を越えることを表示する情報を前記送信手段により前記携帯端末に送信する、
ことを特徴とする請求項１に記載のエレベータシステム。
【請求項７】
前記走行回数制限手段による走行回数の制限を解除する第１の解除指令信号を発生する解除手段を備え、
前記走行回数制限手段は、前記第１の解除指令信号に基づいて前記走行回数の制限を解除する、
ことを特徴とする請求項４又は５に記載のエレベータシステム。
【請求項８】
前記判断手段は、前記第２の予測走行回数値が前記基準走行回数値以下になると判断すると第２の解除指令信号を発生し、
前記走行回数制限手段は、前記第２の解除指令信号に基づいて前記走行回数の制限を解除する、
ことを特徴とする請求項４又は５に記載のエレベータシステム。
【請求項９】
前記エレベータに設けられると共に、前記走行回数制限手段によりエレベータの走行回数が制限されていることを表示する第１の表示手段を、
備えたことを特徴とする請求項４又は５に記載のエレベータシステム。
【請求項１０】
前記エレベータに設けられると共に、前記携帯端末から走行回数制限指令信号が所定時間内に予め定められた回数を越えると警告信号を発生に基づいて警告表示をする第２の表示手段を、
備えることを特徴とする請求項９に記載のエレベータシステム。
【発明の詳細な説明】
【技術分野】
【０００１】
本発明は、エレベータシステムに関し、特に、小規模建物用、小規模共同住宅を対象にしたエレベータ等(以下、小規模共同住宅用エレベータという)の携帯端末を利用した走行回数管理に関するものである。
【背景技術】
【０００２】
エレベータでは、走行回数を収集して、これを部品交換等の目安にすることが行われている。下記特許文献１に記載のように、エレベータの走行回数値をデジタル表示して、走行回数値が所定値を超えるとアラームを表示するものが示されており、これにより、機械系の給油指示や摩耗部品の交換指示をする旨が記載されている。したがって、エレベータの保守の効率化に寄与し得る。
【０００３】
また、下記特許文献２に記載のように、エレベータの度数計が計数したエレベータの走行回数値が保守点検を実施すべき基準値を超えるかを比較器で監視し、また積算時間計が計数したエレベータの稼動積算時間が基準値を超えるかを監視して、監視センタの表示部に表示することによって、保守点検を効率的にすることが記載されている。これにより、保守点検の効率化を図ることができる。
【先行技術文献】
【特許文献】
【０００４】
【特許文献１】特開昭５５−３２３８０号公報
【特許文献２】特開平５−１７８５５７号公報
【発明の概要】
【発明が解決しようとする課題】
【０００５】
上記特許文献１及び２ともに、エレベータの走行回数を計数することにより、エレベータの使用機器の寿命を適切に管理し、使用機器の交換を円滑にして、保守の合理化を図り得る。
しかしながら、小規模建物用など向け、例えば、定格が停止階５階、定員３名、速度２０ｍ／ｍｉｎのエレベータでは、使用機器の寿命などの観点から、一日当たりの走行回数が所定値として例えば、１５０回を越えないように運用されることが好ましいとされている。これは、エレベータの毎日の走行回数値を適切管理することで、使用機器の寿命を適切に維持するという趣旨のもとに制定されている。
【０００６】
一方、一日当たりの上記走行回数値を余りに厳格に管理し過ぎると、つまり、一日当たり走行回数値が１５０回を越える場合、運行管理者が一律にエレベータを停止すると、エレベータの利用者には、極めて不都合を生じかねない。発明者は、上記小規模共同住宅用エレベータ等では、運行管理者等が有する携帯端末にエレベータの一周期の走行回数値が基準走行回数値を越えたら発報し、諸般の事情等も考慮して必要に応じて、運行管理者等がエレベータの走行回数制限を行い得ることを見出した。
【０００７】
本発明は、上記のような課題を解決するためになされたもので、小規模共同住宅用エレベータ等において、走行回数管理装置はエレベータの一周期の走行回数値が基準走行回数値を越えたら、運行管理者等が有する携帯端末に発報し、その後、運行管理者等は、エレベータの周囲状況等を確認して、適切な判断によりエレベータの走行回数を管理できるエレベータシステムを提供することを目的とする。
【課題を解決するための手段】
【０００８】
第１の発明に係るエレベータシステムは、エレベータの走行回数を管理する走行回数管理装置と、該走行回数管理装置からの情報を送信手段により無線で、携帯端末に送信すると共に、前記情報を無線で前記携帯端末の受信手段により受信するエレベータシステムであって、
前記走行回数管理装置は、エレベータの走行回数をカウントして走行回数値を発生するカウント手段と、
前記走行回数値を記憶する走行回数記憶手段と、
予め定めた時間間隔により予測開始信号が発生すると、前記走行回数記憶手段に記憶された走行回数値に基づいて、一周期の予測走行回数値を予測する走行回数予測手段と、
前記一周期の予測走行回数値が基準走行回数値を越えるか否かを判断して、越えると判断すると超過信号を発生する判断手段と、
前記携帯端末の認証コードを記憶する認証記憶手段と、
前記超過信号の発生に基づいて、前記認証記憶手段に記憶された前記認証コードを有する前記携帯端末に前記送信手段を介して発報する送信制御手段と、
を備えたことを特徴とするものである。
【０００９】
このようなエレベータシステムによれば、送信制御手段は、走行回数管理装置から発生した超過信号に基づいて、送信手段を介して認証記憶手段に記憶された認証コードを有する携帯端末に無線通信により発報する。この発報により、一周期の予測走行回数値が基準走行回数値を越えることを携帯端末によって感知した運行管理者は、エレベータの周囲状況、使用状況を確認しながら、必要に応じてエレベータの走行回数を制限し得る。これにより、運行管理者は、小規模共同住宅用エレベータ等の走行回数値を適切に管理することができる。エレベータの周囲状況を確認することにより、車イス利用者等がエレベータを利用する際の停止を防ぐことができるので、サービス低下も抑え得る。
ここに、携帯端末へ発報する情報とは、音声、文字により一周期の予測走行回数値が基準走行回数値を越えるとことを発報することをいい、単なる警告音も含む。加えて、運行管理者が複数のエレベータを管理している場合には、エレベータを特定するための情報も含む。
また、上記携帯端末には、予めアプリをインストールにしておいて、上記超過信号を受信すると、携帯端末において、上記情報を生成して表示したり音声を発したりしても良い。
【００１０】
第２の発明に係るエレベータシステムにおける前記走行回数管理装置は、前記走行回数値に基づく表示を生成する表示生成手段を備え、
前記送信制御手段は、さらに、所定のタイミングにより前記送信手段を介して前記表示を無線通信により前記携帯端末に送信する、ことが好ましい。
これにより、走行回数管理装置では、携帯端末からの要求がなくても、所定のタイミングにより送信制御手段が送信手段を介して、エレベータの走行回数値に基づく表示を携帯端末に送信する。したがって、時々、運行管理者は携帯端末により、走行回数値等を確認し得るので利便性が高い。ここに、上記表示は、エレベータの一日当たりの走行回数値、エレベータの一周期の予測走行回数値、曜日毎の走行回数値、予測走行回数値が基準走行回数値を越えているか否か、一周期内の曜日毎のヒストグラムによる表示を例示できる。
【００１１】
第３の発明に係るエレベータシステムにおける前記走行回数管理装置は、前記走行回数値に基づく表示を生成する表示生成手段と、
前記携帯端末からの認証コードと前記表示の要求とが無線により送信されると、予め記憶された前記認証コードと一致することを確認する認証コード確認手段とを備え、
前記送信制御手段は、さらに、前記一致により、前記送信手段を介して前記表示の情報を無線通信により前記携帯端末に送信する、ことが好ましい。
運行管理者等は、携帯端末からの要求に基づいてエレベータの走行回数値に基づく表示ができるので、エレベータの走行回数値などを確認したい時に容易に把握できる。ここに、表示は、上記例示と同様である。
【００１２】
第４の発明に係るエレベータシステムにおける前記走行回数管理装置は、前記超過信号が発生している状態で、前記携帯端末からの走行回数制限指令信号に基づいて前記エレベータの走行回数を制限する走行回数制限手段を、備えることが好ましい。
このようなエレベータシステムによれば、運行管理者等が携帯端末からの走行回数制限指令信号を無線送信すると、走行回数制限手段がエレベータの走行回数を制限し得る。これにより、携帯端末の操作に基づいて簡易に走行回数を抑制できる。ここに、走行回数制限手段としては、呼び信号が発生しても、かごを一定時間経過しないと起動しなかったり、かごの走行そのものを停止したりすることを例示できる。
さらに、携帯端末から走行回数管理装置へは、公衆電話回線を用いた有料通信でも良いが、無料の近距離通信が好ましい。これは、エレベータ使用状況、周囲状況を確認してから、走行回数を制限する確実性を増すためである。例えば、車イスの利用者がエレベータに乗り込もうとしている時に、走行回数を制限することを防止できる。このため、携帯端末と走行回数管理装置との通信距離が１０ｍ程度以内に限って通信が可能な近距離通信、例えば、ブルートゥース（登録商標）による無線通信が好ましく、これよりもよりも通信距離がやや長い無線ＬＡＮでも良い。
これにより、エレベータの近傍に運行管理者等が存在しないと、携帯端末からエレベータの走行回数を制限し得ないので、安易な走行回数の制限を抑制できると共に、利用者の安心も確保できる。
【００１３】
第５の発明に係るエレベータシステムにおける前記エレベータには、キーにより開放可能な蓋を備えた箱体の内部に設けられると共に、操作することにより走行回数制限信号を発生するスイッチ手段と、
前記超過信号が発生している状態で、前記走行回数制限信号の発生に基づいて前記エレベータの走行回数を制限する走行回数制限手段と、を備えることが好ましい。
これにより、運行管理者等は、エレベ―タの使用状況及び周囲状況を確認しながら、エレベータに設けられたスイッチ手段を操作してエレベータの走行回数を制限できる。このスイッチ手段は、かご内に設けることが好ましい。エレベータの使用状況を確実に確認できるからである。さらに、スイッチ手段は、押し釦型で、モーメンタリ型が好ましい。スイッチ操作の戻し忘れを防止できるからである。
【００１４】
第６の発明に係るエレベータシステムにおける前記カウント手段は、一時間当たり積算した第１の走行回数値と、一日毎に積算した第２の走行回数値を発生し、
前記走行回数記憶手段は第１及び第２の走行回数値を記憶し、
前記走行回数記憶手段に記憶された前記第１及び第２の走行回数値に基づいて、前記一周期における前記予測開始信号が発生した時までの実績走行回数値と、前記一周期における前記予測開始信号が発生した後の残りの時間に基づく予測した第１の予測走行回数値とを求めて、前記実績走行回数値及び前記第１の予測走行回数値に基づいて前記一周期の走行回数値を予測した第２の予測走行回数値を求める走行回数予測手段とを備え、
前記判断手段は、さらに、前記第２の予測走行回数値が基準走行回数値を越えるか否かを判断して、越えると判断すると超過信号を発生し、
前記送信制御手段は、さらに、前記超過信号に基づいて、前記第２の予測走行回数値が前記基準走行回数値を越えることを表示する情報を前記送信手段により前記携帯端末に送信する、ことが好ましい。
【００１５】
このようなエレベータシステムによれば、走行回数予測手段は、切換え信号の発生した時までの実績走行回数値と、一周期の残り時間に基づいて記憶手段に記憶された第１及び第２の走行回数値に基づいて第１の予測走行回数値を求め、実績走行回数値と第１の予測走行回数値とから、一周期の走行回数値を予測して第２の予測走行回数値を求める。
そして、判断手段が第２の予測走行回数値が基準走行回数値を越えるか否かを判断して越えると判断すると超過信号を発生し、送信制御手段は超過信号に基づいて上記基準走行回数値を越えることを携帯端末へ送信する。携帯端末では、第２の予測走行回数値が基準走行回数値を越えることを表示する。これにより、一周期のエレベータの予測走行回数値が基準走行回数値に達する前に携帯端末に表示できるので、運行管理者等は、エレベータの走行回数の管理が行い易くなる。
【００１６】
ここに、判断手段は、基準走行回数値と前回の前記一周期の積算走行回数値との差分を基準走行回数値に足して、新たな基準走行回数値とする、ことが好ましい。
これにより、一周期当たり基準走行回数値を少なくとも前回の一周期の積算走行回数値と基準走行回数値との差分を基準走行回数値に足して、新たな基準走行回数値とする。これにより、前回の一周期の走行回数値が基準走行回数値よりも増加又は減少を今回の基準走行回数値に反映できる。これにより、判断手段が適切な基準走行回数値に基づいて超過信号を発生することになるので、エレベータの走行回数値の制限を適切に管理できる。したがって、エレベータの停止によるサービスが低下を適切に防止できる。一方、エレベータの使用機器の寿命を考慮して基準走行回数値を適切な値にしているので、エレベータの使用機器の寿命も適切に管理できる。
【００１７】
第７の発明に係るエレベータシステムは、走行回数制限手段による走行回数の制限を解除する第１の解除指令信号を発生する解除手段を備え、
前記走行回数制限手段は、前記第１の解除指令信号に基づいて前記走行回数の制限を解除する、ことが好ましい。
解除手段からの解除指令信号の発生に基づいて、走行回数制限手段からの走行回数制限を解除できる。したがって、病人などの緊急時にエレベータを利用したい場合に速やかにエレベータの走行を開始できる。解除手段とは、各乗場に設けられたカードリーダと、住居の居住者など特定の者が所有すると共に、識別情報を有するカードをカードリーダによって読み取ることにより第１の解除指令信号を発生するものを例示できる。さらに、解除手段は、認証コードが特定された携帯端末から送信された第１の解除指令信号を走行回数管理装置が受信により、走行回数の制限を解除しても良い。
【００１８】
第８の発明に係るエレベータシステムにおける前記判断手段は、前記第２の予測走行回数値が前記基準走行回数値以下になると判断すると第２の解除指令信号を発生し、前記走行回数制限手段は、前記第２の解除指令信号に基づいて前記走行回数の制限を解除する、ことが好ましい。
走行回数制限手段によって、エレベータの走行回数を抑制すると、やがて、判断手段からの第２の解除指令信号が発生する。これにより、走行回数制限手段による走行回数の制限を解除するので、エレベータの走行回数を適切に制限できる。したがって、エレベータのサービスの低下を適切に抑制できる。
【００１９】
第９の発明に係るエレベータシステムは、前記エレベータに設けられると共に、前記走行回数制限手段によりエレベータの走行回数が制限されていることを表示する第１の表示手段を、備えることが好ましい。
これにより、第１の表示手段にエレベータの走行回数が制限されていることを表示するので、エレベータの利用者は、輸送効率が低下していることを認識しながら利用できる。このため、心理的なストレスが軽減され得る。
【００２０】
第１０の発明に係るエレベータシステムは、前記エレベータに設けられると共に、前記携帯端末から走行回数制限指令信号が所定時間内に予め定められた回数を越えると警告信号を発生に基づいて警告表示をする第２の表示手段を、を備えることが好ましい。
これにより、エレベータに設けられた第２の表示手段に警告表示するので、エレベータの利用者、特に、建物の居住者は、運行管理者等が安易に携帯端末からエレベータの走行回数を制限することを監視できる。これにより、サービス面からの適切な走行回数の制限になり得る。
【発明の効果】
【００２１】
本発明によれば、小規模共同住宅用エレベータにおいて、エレベータの一周期の走行回数値が基準走行回数値を越えたら、運行管理者等が有する携帯端末に発報して、その後、運行管理者等は適切な判断によりエレベータの走行回数を管理できるエレベータシステムを提供することができる。
【図面の簡単な説明】
【００２２】
【図１】本発明の一実施の形態によるエレベータシステムの全体図である。
【図２】図１に示すエレベータシステムにおけるエレベータの全体図である。
【図３】図２に示すエレベータのかご内に設けせれたインジケータ及び操作箱の正面図である。
【図４】図２に示すエレベータにおけるエレベータの制御盤の電気系統で、主として走行回数管理装置のブロック図である。
【図５】図４による走行回数記憶部の記憶内容を示す模式図（ａ）、予測走行回数値を求める説明図（ｂ）である。
【図６】図１に示す携帯端末における表示部に表示された走行回数値などを示す説明図である。
【図７】図１によるエレベータの制御盤における携帯端末に超過信号に基づく情報を発報する動作を示すフローチャートである。
【図８】図１によるエレベータのかご内に設けられた走行回数制限スイッチの操作によりエレベータの走行回数を制限する動作を示すフローチャート（ａ）、所定のタイミングによりエレベータの制御盤から携帯端末に走行回数値などを表示する動作を示すフローチャート（ｂ）である。
【図９】他の実施形態による図１のエレベータシステムの携帯端末からの要求に基づいて携帯端末に走行回数値などを送信する動作を示すフローチャート（ａ）、同様に、携帯端末からエレベータの走行回数を制限する動作を示すフローチャート（ｂ）である。
【発明を実施するための形態】
【００２３】
実施の形態１．
本発明の一実施の形態を図１から図５によって説明する。図１は、本発明の一実施の形態によるエレベータシステムの全体図である。図１において、エレベータシステム１は、個人住宅などに施設されるエレベータ１０の吊り車２１に掛けられたロープ１９によりかご１５を昇降するために、モータ等を駆動制御するエレベータの制御盤２００を有している。さらに、エレベータシステム１は、制御盤２００に設けられたエレベータ１０の走行回数管理装置２１０と携帯端末５００と無線通信を成すように形成されている。ここで、携帯端末５００と走行回数管理装置２１０とは、無線通信の距離は、特に限定されないが、通信距離が１０ｍ程度以内に限って通信が可能な近距離通信、例えば、ブルートゥース（登録商標）による無線通信が好ましい。エレベータ１０の使用状況及び周囲の状況を確認してから、携帯端末５００と走行回数管理装置２１０とが交信することが好ましいことがあるからである。なお、携帯端末５００は、スマートホン、タブレット端末等を例示できる。
【００２４】
携帯端末５００は、認証コードとしての携帯電話番号を有しており、運行管理者が認証コード(携帯番号)を入力したり、走行回数制限指令信号を発生したりするための操作部５０２を有している。さらに、携帯端末５００は、走行回数管理装置２１０と送信したり、受信したりする通信部５０４を有し、走行回数管理装置２１０から送信された情報などを表示するブラウザ機能を有する表示部５０６を備えており、操作部５０２の操作信号を読み出したり、通信部５０４、表示部５０６を制御したりする制御部５０８を備えている。なお、通信部５０４により受信した情報を変換して音声を発生する音声部５１０も有している。
【００２５】
図２において、個人住宅などに施設されるエレベータ１０は、五停止で各階にかご１５の乗場を有する五階建ての住宅に設置されており、かご１５の一端部１５ａにロープ１９の一端部が連結固定され、昇降路１３の上部に設けられた吊り車２１を介して、ロープ１９の他端部が昇降路１３の下部に設けられた巻上機２３の巻胴２３ａに連結固定されている。巻胴２３ａの軸に回転軸が連結固定されたモータ３２を有している。モータ３２には、制御盤２００が接続されており、制御盤２００には、走行回数管理装置２１０を有している。
乗場には、各フロアにかご１５に走行指令を与える乗場呼び装置３１〜３５が設けられており、かご１５内には、かご１５の階床位置などを表示するインジケータ部１０１と、管理箱１１０とを有している。なお、各階に設けられた乗場呼び装置３１〜３５には、カードリーダ５１〜５５が各階に設けられており、カード７０の情報を読み取ると、第１の解除指令信号を発生するように形成されている。ここに、カードリーダ５１〜５５とカード７０とにより解除手段を成している。ここで、カード７０は、居住者のうち車椅子利用者等の弱者に予め配付されている。
【００２６】
図３において、かご１５の側壁１５ａには、かご１５の位置に関する表示するインジケータ部１０１と、走行回数制限スイッチ１３０が内蔵された管理箱１１０とを有している。インジケータ部１０１には、エレベータ１０の走行回数が制限されていると、第１の表示手段としての「走行回数制限中」１８０と赤色で点灯表示するように形成されており、運行管理者などが携帯端末５００により所定時間内に走行回数制限の回数が所定値に達すると、第２の表示手段としての警告表示となる警告灯１５０を点滅生するように形成されている。
【００２７】
管理箱１１０は箱状で、蓋１１１の表面がインジケータ部１０１と面一に形成され、箱体１１０ｈがかご１５の内部に埋め込まれている。蓋１１１は、運行管理者が所有するキーを挿入するキー溝１１３を備え、ヒンジ１１５により一端部１１１ａを中心に回動可能に形成されている。管理箱１１０は、通常時、キーにより施錠されて蓋１１１により閉鎖されており、キーにより施錠が解除されて蓋１１１が開放するように形成されている。なお、蓋１１１には、取っ手１１１ｔが設けられている。
管理箱１１０の内部には、オンすると走行回数制限信号を発生するスイッチ手段としての走行回数制限スイッチ１３０が設けられている。ここで、走行回数制限スイッチ１３０は押し釦型で、モーメンタリ型が好ましい。スイッチ１３０がオン状態を継続することを防止するためである。
【００２８】
図４において、制御盤２００の電気系統のブロック図は、図２に示す乗場などの呼び装置３１〜３５からの呼び信号により、モータ３２を駆動制御するモータ駆動制御部２０１を有しており、モータ駆動制御部２０１からのモータ３２の運転信号、すなわち、かご１５の走行回数をカウントして走行回数値を発生するカウント部２１３を有し、カウント部２１３から発生する走行回数値が走行回数記憶部２１５に入力される。カウント手段としてのカウント部２１３では、一時間毎の走行回数値、曜日毎の走行回数値、一周期毎の走行回数値をカウントする。そして、図５（ａ）において、走行回数記憶部２１５には、カウント部２１３によりカウントして積算した一時間毎の第１の走行回数値と、一日毎で曜日毎の第２の走行回数値を２４時間に分けて、一時間毎の第１の走行回数値と曜日毎の第２の走行回数値とをマトリクス状に記憶している。ここでは、一ヶ月分の走行回数値が記憶されているが、これより多い６カ月分でも良い。６ヶ月間を越えると、記憶が上書きされるように形成されている。
【００２９】
エレベータ１０の走行回数の一周期は、特に、休日と平日とでは、休日は一般に会社、学校が休みとなることから、曜日毎の生活スタイルが異なる。これに伴い、エレベータ１０の利用形態、すなわち、走行回数も異なる。したがって、エレベータ１０の走行回数の一周期を一週間とする。このため、走行回数記憶部２１５には、月曜日から日曜日までの曜日毎の走行回数値と、その曜日内における一時間当たりの走行回数値を２４時間対応で記憶されている。
【００３０】
図４及び図５（ｂ）において、走行回数予測手段としての走行回数予測部２１７は、エレベータ１０の一周期の走行回数値を実績の走行回数値により予測している。いま、予め定めた時間間隔により予測開始信号が発生すると、この発生が一周期のうちの水曜日の１３時とすると、走行回数予測部２１７は、一周期の開始となる月曜日から水曜日の１３時までを実績走行回数値を求める。次に、予測開始信号が発生した後となる水曜日の１３時から一周期の最後となる日曜日の２４時までを予測した第１の予測走行回数値を求める。ここで、第１の予測走行回数値は、走行回数記憶部２１５に記憶された前週の水曜日の１３時間から日曜日の２４時までの走行回数値を求めて、この走行回数値を参照して予測する。そして、今回の実績走行回数値と第１の予測走行回数値とを足して一周期の第２の予測走行回数値を求める。これにより、第２の予測走行回数値が一周期の予測走行回数値となる。
なお、上記予め定められた時間間隔より発生する予測開始信号は、クロック信号に基づいて得られる。
【００３１】
ところで、一周期としての今週（今回）の実績走行回数値が、前週（前回）の実績走行回数値を越えているようであれば、第１の予測走行回数値もこの傾向が続くものとして求める。つまり、今回の実績走行回数値／前回の実績走行回数値による比を乗算して、第１の予測走行回数値を求める。これにより、第１の予測走行回数値が走行回数実績値を考慮して、より良い予測が可能となり、第２の予測走行回数値の精度も向上し得るからである。
【００３２】
判断手段としての判断部２１９は、一周期の予測走行回数値が基準走行回数値を除算した値が１を越えるか否かで判断して越えると、超過信号を発生して表示制御部２５０と走行回数制限部２９０に入力するようにしている。また、判断部２１９は、上記１を越えないと判断すると、第２の解除指令信号を走行回数制限部２９０に入力されるようにしている。
ここで、基準走行回数値は、一日あたり１５０回として、一周期が一週間であるから、一周期では１０５０回となる。基準走行回数値は、固定でも良いが、好ましくは、走行回数値の把握がエレベータ１０の使用機器の寿命を適切に管理するためであるから、積算の走行回数値が使用機器の寿命に影響する。したがって、前回の一周期の走行回数値が７００回であったとすれば、前回は３５０回の余裕があったことになる。判断部２１９は、この回数３５０を基準走行回数値１０５０回に加えて、新たな基準走行回数値を１４００回としても良い。
なお、短時間に走行回数値が増加した場合には、モータ駆動制御部２０１の一部を成すインバータの温度センサ（図示せず）が温度上昇を検出して、短時間で過度な走行回数値になることを抑制している。
【００３３】
発報部２２１は、携帯端末５００に発報するための情報を生成するもので、音声、文字により、特定したエレベータ１０の識別番号と共に、一周期の走行回数予測値が基準走行回数値を越える情報を発報することをいい、音声、文字の何れでも良く、両者でも良い。ここで、エレベータ１０の識別番号も情報に加えるのは、運行管理者が複数のエレベータ１０を管理することがあるからである。発報部２２１は、判断部２１９からの超過信号が発生すると、上記情報を送信部２６０により携帯端末５００に送信するように形成されている。携帯端末５００の表示部５０６では、一周期の予測走行回数値が基準走行回数値を越えることを表示するように形成されている。
【００３４】
表示生成部２５０は、図６に示すように走行回数値に基づいて携帯端末５００に表示するための表示情報を生成している。ここに、曜日毎の走行回数値をヒストグラム表示５１６ｈに関しては、ＨＴＭＬ形式で生成されている。携帯端末５００からの走行回数制限指令信号が一週間以内に２回以上発生すると、インジケータ部１０１に警告に関する表示として警告灯１５０を表示するように形成されている。また、発報部２２１及び表示生成部２５０からの情報を送信部２６０により携帯端末５００へ無線送信するように形成されている。そして、認証コードとしての携帯番号を記憶する携帯番号記憶部２７２を有し、携帯端末５００から送信された情報を受信する受信部２７０を有している。携帯端末５００の携帯番号と、認証コード記憶手段としての携帯番号記憶部２７２に記憶された携帯番号とが一致しているか否かを確認する携帯番号確認部２７４を備え、一致している場合に限って、携帯端末５００から受信した制限指令信号を通過して走行回数制限部２９０に入力するように形成されている。なお、一致しない場合には、制限指令信号を遮断している。
【００３５】
送信制御部２８０は、所定のタイミングで、例えば、毎日１４時になったら送信部２６０を介して、表示生成部２５０により生成された表示情報を携帯端末５００に送信するように形成されている。
インジケータ部１０１は、かご１５の上昇又は下降の走行方向の矢印と、かご１５が位置する階床とを表示している。携帯端末５００の表示部５０６には、図６に示すように、走行回数に関する情報表示５１６として本日の走行回数値と、一周期の予測走行回数値と、一周期の予測走行回数値が基準走行回数を越えると、走行回数制限信号の発生が「有」と表示され、さらに、ブラウザにより、曜日毎の走行回数値をヒストグラム表示５１６ｈするように形成されている。すなわち、エレベータ１０の走行回数値に基づく表示をしている。なお、携帯端末５００への表示は上記例示の一つが表示されていれば足りる。
【００３６】
判断部２１９からの超過信号が発生している状態で、管理箱１１０の内部に設けられて走行回数制限スイッチ１３０がオンして走行回数制限信号を発生すると、走行回数制限手段としての走行回数制限部２９０は、かご１５が走行して停止した後、所定時間経過しないと、かご１５の次の走行を不可とするように形成されている。これにより、エレベータ１０の走行回数が制限できる。走行回数が制限されるようになると、第２の予測走行回数値が低下することになる。判断部２１９は、第２の予測走行回数値が基準走行回数値以下になると判断すると第２の解除指令信号を発生し、走行回数制限部２９０は、超過信号が発生していても、第２の解除指令信号に基づいてエレベータ１０の走行回数の制限を解除するように形成されている。
なお、走行回数制限部２９０によりかご１５の走行を制限する時間帯を限定しても良い。元々、走行回数値が低い時間帯を除いても良く、例えば、２０:００〜５:００までは、走行回数制限を不可としても良い。
【００３７】
また、上記したように図１において、小規模住宅エレベータを利用する小規模住宅の住民が所有するカード７０を各階設けられたカードリーダ５１にかざすことにより、カードリーダ５１がカード７０の情報としの解除情報を読み取り、第１の解除指令信号が発生して走行回数制限部２９０に入力されると、エレベータ１０の走行回数制限が解除されるように形成されている。
【００３８】
上記のように構成されたエレベータシステムについて、特に第２の予測走行回数値が基準走行回数値を越えた場合の動作を図１から図７によって説明する。
＜エレベータの予測走行回数値が基準走行回数値を越えたことを携帯端末へ発報＞
呼び信号の発生により、図４に示すようにモータ駆動制御部２０１は、モータ３２を駆動してかご１５を上昇又は下降すると共に、かご１５を走行させるため走行信号を発生すると（ステップＳ１０１）、カウント部２１３は、かご１５の走行回数をカウントし、（ステップＳ１０３）、走行回数値を走行回数記憶部２１５に入力する。
【００３９】
走行回数記憶部２１５では、図５（ａ）に示すように曜日毎で、時間毎の走行回数値をマトリクス状に記憶する（ステップＳ１０５）。走行回数予測部２１７は、走行回数記憶部２１５から読み出した上記走行回数値とから、所定のタイミングにより、一周期の第２の予測走行回数値を求めて、判断部２１９に入力する（ステップ１０７）。判断部２１９は、第２の予測走行回数値が基準走行回数値を超えるか否かを判断して、越えると判断すると（ステップＳ１０９）、超過信号を走行回数制限部２９０に入力すると共に、携帯番号記憶部２７２に記憶された携帯番号を有する携帯端末５００に発報部２２１により生成された予測走行回数値が基準走行回数値を越えたことに関する情報を送信部２６０により発報する（ステップＳ１１１）。携帯端末５００では、通信部５０４を介して表示部５０６に予測走行回数値が基準走行回数値を越えたことを表示すると共に、同様な内容を音声部５１０から音声により発報する。したがって、運行管理者は、エレベータ１０から離れていても、携帯端末５００の表示部５０６を視認したり、音声部５１０から発生した音声を聞いたりしてから、エレベータ１０の使用状況及び周囲状況を確認しながら、必要に応じてエレベータ１０の走行回数制限を制限できる。
【００４０】
上記のように構成されたエレベータシステムについて、エレベータの走行回数の制限動作を図１から図６、図８（ａ）によって説明する。
＜走行回数制限スイッチの操作によるエレベータの走行回数の制限＞
上記のように、走行回数管理装置２１０の判断部２１９から超過信号が発生している状態で、運行管理者は、エレベータ１０の利用状況を確認した後、図３に示すように、かご１５内の走行回数制限スイッチ１３０を押してオフからオンへ動作して走行回数制限指令信号を発生すると（ステップＳ２０１）、走行回数制限部２９０は、かご１５の呼びが発生しても、モータ駆動制御部２０１を介して、かご１５の起動を一定時間遅らせる走行回数制限運転によりモータ３２を駆動制御する（ステップＳ２０３）。この時には、表示生成部２５０は、図３に示すように、かご１５内のインジケータ部１０１に「走行回数制限中」１８０と赤色に点灯して、走行回数が制限されていることを利用者に知らせる。
【００４１】
やがて、エレベータの走行回数が制限されているから、判断部２１９は、第２の予測走行回数値が基準走行回数値を越えなくなり、第２の解除指令信号を走行回数制限部２９０に入力することにより（ステップＳ２０５）、走行回数制限運転が終了し、表示生成部２５０からの指令により、図３に示すように、かご１５内のインジケータ部１０１に「走行回数制限中」１８０も消灯する。
【００４２】
上記のように構成されたエレベータシステムについて、所定のタイミングにより携帯端末への走行回数値等の表示動作を図１から図６、図８（ｂ）によって説明する。
＜所定のタイミングでエレベータの予測走行回数値などを携帯端末へ送信＞
いま、走行回数管理装置２１０の表示生成部２５０は、走行回数予測部２１７の出力となる超過信号の発生の有無、一周期の予測走行回数値、本日の走行回数値、走行回数制限信号の発生の有無を表示するため、一定の時間間隔で表示情報の生成を更新している（ステップＳ３０１）。ここで、予め定められた所定のタイミングなると（ステップＳ３０３）、送信制御部２８０が送信部２６０を介して無線通信により送信すると、携帯端末５００の通信部５０４により受信して、上記走行回数値などの情報を表示部５０６に図６に示すように表示する（ステップＳ３０５）。従って、運行管理者は、携帯端末５００からの要求することなく、所定のタイミングで、携帯端末５００の表示部５０６にエレベータ１０の走行回数値などを表示できるので、利便性が高くなる。
【００４３】
実施の形態２.
上記実施形態１では、所定のタイミングにより携帯端末５００に走行回数値等を表示したが、本実施の形態では、運行管理者の操作による携帯端末５００からの要求により走行回数値などを携帯端末５００に表示するものである。上記のように構成されたエレベータシステム１について、携帯端末への走行回数等の表示に関する動作を図１から図６、図９（ａ）によって説明する。
＜携帯端末からの要求による走行回数値等を表示＞
いま、運行管理者が携帯端末５００の操作部５０２を操作して走行回数値に基づく表示の要求を通信部５０４により送信し、走行回数管理装置２１０の受信部２７０が受信すると（ステップＳ５０１）、携帯番号確認部２７４は、携帯番号記憶部２１５に予め記憶された携帯番号と、受信された携帯番号とが一致するか否かを確認する（ステップＳ５０３）。
【００４４】
これが一致すると、送信制御部２８０は、表示生成部２５０により生成されたかご１５の本日の走行回数値と、第２の予測走行回数値としての一周期の予測走行回数値と、第２の予測走行回数値が基準走行回数値を越えるか否かと、エレベータ１０の走行回数を制限する走行回数制限信号の発生の有無と、さらに、今回の一週間の走行回数値を曜日毎にヒストグラム１０５ｈにした表示に関する情報を送信部２６０により携帯端末５００に送信する(ステップＳ５０５）。携帯端末５００は、通信部５０４を介して受信した情報を表示部５０６に図６に示すように表示する。これにより、運行管理者は、携帯端末５００の表示により、エレベータ１０の走行回数値などを確認したい時に容易に把握できる。
【００４５】
実施の形態３.
上記実施形態１では、走行回数制限スイッチ１３０の操作によりエレベータ１０の走行回数を制限したが、本実施の形態では、携帯端末５００からの走行回数制限指令信号により走行回数を制限するものである。上記のように構成されたエレベータシステム１における走行回数の制限動作を図１から図６、図９（ｂ）によって説明する。
＜携帯端末からエレベータの走行回数の制限動作＞
いま、走行回数管理装置２１０の判断部２１９から超過信号が発生している状態で、運行管理者が携帯端末５００の操作部５０２から走行回数制限指令信号を発生すると（ステップＳ６０１）、携帯端末５００の通信部５０４を介して無線通信により走行回数管理装置２１０の受信部２７０が受信して携帯番号確認部２７４は、携帯番号記憶部２７２に記憶された携帯番号と一致していることを確認すると（ステップＳ６０３）、走行回数制限部２９０は、かご１５の呼びが発生しても、モータ駆動制御部２０１を介して、かご１５の起動を一定時間遅らせる走行回数制限運転によりモータ３２を駆動制御することで、走行回数制限を実行する（ステップＳ６０５）。
【００４６】
これにより、携帯端末５００の操作による走行回数制限指令信号に基づいて、エレベータ１０の走行回数を簡易に抑制される。エレベータ１０の走行回数が抑制されるので、やがて、判断部２１９から第２の解除指令信号が発生すると、実施形態１と同様の動作により、走行回数制限運転が終了する。
ここで、一定時間内に、例えば、一週間以内に携帯端末５００からの走行回数制限指令信号が走行回数制限スイッチ１３０と合わせた全ての走行回数制限指令信号の数の過半数に達したら、かご１５内のインジケータ部１０１に警告灯１５０を点灯して、エレベータ１０の利用者等に携帯端末５００から安易に走行回数の制限がされていることを視覚的に知らしめる。
【００４７】
本発明は、上記発明の実施の形態の説明に何ら限定されるものではない。特許請求の範囲の記載を逸脱せず、当業者が容易に想到できる範囲で種々の変形態様も本発明に含まれる。
例えば、予めインストールしたアプリを有する携帯端末５００を用いることにより、走行回数管理装置２１０内に発報部２２１を設けたが、発報部２２１を設けることなく、走行回数管理装置２１０からは超過信号をエレベータ１０の識別番号と共に、携帯端末５００に送信する。携帯端末５００では、エレベータ１０の識別番号と共に、一周期の走行回数予測値が基準走行回数値を越える情報を表示又は音声により発報しても良い。
【００４８】
上記実施形態では、図６に示す文字情報を走行回数管理装置２１０から携帯端末５００に送信したが、予めフォーマットを携帯端末５００にインストールしておいて、図６では、「１２０回」、「１０００回」、「越える」、「無」という文字情報のみ送信しても良い。送信容量が少なくて済むからである。
【００４９】
また、上記実施の形態では、かご１５内に設けられたかご１５の位置を表示するインジケータ部１０１に走行回数制限中１８０や、警告灯１５０を表示したが、専用の表示手段をかご１５内又は乗場に設けて、走行回数制限中１８０などを表示しても良い。
【００５０】
また、上記実施の形態では、カードリーダ５１〜５５とカード７０とにより解除手段を成したが、携帯端末５００から操作部５０２を操作して第３の解除指令信号を通信部５０４から走行回数管理装置２１０に送信して、超過信号が発生している状態で、走行回数制限部２９０によるエレベータ１の走行回数制限を解除しても良い。
【符号の説明】
【００５１】
１  エレベータシステム、１０  エレベータ、１５  かご、２３  巻上機、３２  モータ、５１〜５５  カードリーダ、７０  カード、１０１  インジケータ部、１１０ｈ  箱体、１１１  蓋、１１３  キー溝、１３０  走行回数制限スイッチ、１５０  警告灯、２１０  走行回数管理装置、２１３  カウント部（カウント手段）、２１５  走行回数記憶部（走行回数記憶手段）、２１７  走行回数予測部（走行回数予測手段）、２１９  判断部（判断手段）、２２１  発報部、２５０  表示生成部（表示生成手段)、２６０  送信部（送信手段）、２７０  受信部（受信手段）、２７２  携帯番号記憶部、２７４  携帯番号確認部、２８０  送信制御部（送信制御手段）、２９０  走行回数制限部（走行回数制限手段)、５００  携帯端末。
【図１】
2020059600.tif 000003
【図２】
2020059600.tif 000004
【図３】
2020059600.tif 000005
【図４】
2020059600.tif 000006
【図５】
2020059600.tif 000007
【図６】
2020059600.tif 000008
【図７】
2020059600.tif 000009
【図８】
2020059600.tif 000010
【図９】
2020059600.tif 000011